(57)【要約】【課題】工期の短縮を図る。【解決手段】地下構造物予定領域の一方端部１ａと他方端部１ｂとの間に複数のシールドトンネル１１を周方向に構築するシールドトンネル構築工程と、複数のシールドトンネル１１を連結してなる外郭躯体１２を構築する外郭躯体構築工程と、外郭躯体１２の内周側領域を掘削して地下空洞４を形成する掘削工程と、を備え、シールドトンネル構築工程では、全長シールドトンネル１３を、他方端部１ｂまで延伸し、短尺シールドトンネル１４を、他方端部１ｂまで延伸せずに、外郭躯体予定領域１２Ａの断面積を、一方端部１ａから他方端部１ｂに向けて小さくする。【選択図】図１
2018003398.tif 000002
【特許請求の範囲】
【請求項１】
内部に地下空洞を形成する地下構造物の施工方法であって、
前記地下構造物の施工予定領域である地下構造物予定領域の一方端部と他方端部との間において、軸方向に延伸する複数のシールドトンネルを周方向に構築するシールドトンネル構築工程と、
前記複数のシールドトンネルを連結してなる前記地下構造物の外郭躯体を構築する外郭躯体構築工程と、
前記外郭躯体の内周側領域を掘削して前記地下空洞を形成する掘削工程と、を備え、
前記シールドトンネル構築工程では、
前記複数のシールドトンネルのうちの一部のシールドトンネルである全長シールドトンネルを、前記他方端部まで延伸し、
前記複数のシールドトンネルのうちの残りのシールドトンネルである短尺シールドトンネルを、前記他方端部まで延伸せずに、
前記外郭躯体の施工予定領域である外郭躯体予定領域の断面積を、前記一方端部から前記他方端部に向けて小さくし、
全ての前記全長シールドトンネルの延伸が終了すると、全ての前記短尺シールドトンネルの延伸が終了する前に、前記他方端部側から前記一方端部側に向けて、前記外郭躯体の構築及び当該外郭躯体の内周側領域の掘削を開始する、
地下構造物の施工方法。
【請求項２】
前記シールドトンネル構築工程では、
前記全長シールドトンネルを、前記外郭躯体予定領域において前記一方端部から前記他方端部まで延伸し、
前記短尺シールドトンネル、前記外郭躯体予定領域において前記一方端部から前記他方端部に向けて延伸する、
請求項１に記載の地下構造物の施工方法。
【請求項３】
前記シールドトンネル構築工程では、前記全長シールドトンネルを延伸した後、前記短尺シールドトンネルを延伸する、
請求項１又は２に記載の地下構造物の施工方法。
【請求項４】
前記シールドトンネル構築工程では、
複数の前記短尺シールドトンネルを構築し、
前記複数の短尺シールドトンネルのうちの一部のシールドトンネルである内周側短尺シールドトンネルの先端部を、前記外郭躯体予定領域の内周側に延伸し、
前記掘削工程では、掘削した土砂の少なくとも一部を前記内周側短尺シールドトンネルから排出する、
請求項１〜３の何れか一項に記載の地下構造物の施工方法。
【請求項５】
内部に地下空洞を形成する地下構造物であって、
地下構造物の一方端部と他方端部との間において、軸方向に延伸されるとともに周方向に配置された複数のシールドトンネルと、
前記複数のシールドトンネルを連結してなる外郭躯体と、を備え、
前記地下空洞は、前記外郭躯体の内周側領域に形成されており、
前記複数のシールドトンネルのうちの一部のシールドトンネルである全長シールドトンネルは、前記他方端部に延伸されており、
前記複数のシールドトンネルのうちの残りのシールドトンネルである短尺シールドトンネルは、前記他方端部まで延伸されておらず、
前記地下空洞の断面積は、前記一方端部から前記他方端部に向けて小さくなっている、
地下構造物。
【発明の詳細な説明】
【技術分野】
【０００１】
本発明は、地下構造物の施工方法及び地下構造物に関する。
【背景技術】
【０００２】
従来、地下構造物の施工方法として、特許文献１に記載された方法が知られている。特許文献１に記載された方法は、本線シールドトンネルと支線シールドトンネルとの合流領域に、大断面トンネルを施工する方法である。具体的には、まず、本線シールドトンネルと支線シールドトンネルとの合流領域において、本線シールドトンネル及び支線シールドトンネルの双方を囲むように、軸方向に延伸する複数のシールドトンネル（小断面トンネル）を周方向に構築する。このとき、全てのシールドトンネルを、大断面トンネルの一方端部に位置する立坑から大断面トンネルの他方端部に位置する立坑まで延伸させる。次に、複数のシールドトンネルにより外郭躯体を構築し、外郭躯体の内周側領域を掘削する。これにより、一方端部から他方端部まで同じ断面となる大断面トンネルが施工される。
【先行技術文献】
【特許文献】
【０００３】
【特許文献１】特開２００６−３４８７１８号公報
【発明の概要】
【発明が解決しようとする課題】
【０００４】
特許文献１に記載された方法では、全てのシールドトンネルを、大断面トンネルの一方端部に位置する立坑から大断面トンネルの他方端部に位置する立坑まで延伸させるため、全てのシールドトンネルの延伸が終了して外郭躯体の構築が終了してから、外郭躯体の内周側領域を掘削することになる。このため、特許文献１に記載された方法では、工期を短縮するのに限界があるという問題がある。
【０００５】
そこで、本発明は、工期の短縮を図ることができる地下構造物の施工方法及び地下構造物を提供することを目的とする。
【課題を解決するための手段】
【０００６】
本発明に係る地下構造物の施工方法は、内部に地下空洞を形成する地下構造物の施工方法であって、地下構造物の施工予定領域である地下構造物予定領域の一方端部と他方端部との間において、軸方向に延伸する複数のシールドトンネルを周方向に構築するシールドトンネル構築工程と、複数のシールドトンネルを連結してなる地下構造物の外郭躯体を構築する外郭躯体構築工程と、外郭躯体の内周側領域を掘削して地下空洞を形成する掘削工程と、を備え、シールドトンネル構築工程では、複数のシールドトンネルのうちの一部のシールドトンネルである全長シールドトンネルを、他方端部まで延伸し、複数のシールドトンネルのうちの残りのシールドトンネルである短尺シールドトンネルを、他方端部まで延伸せずに、外郭躯体の施工予定領域である外郭躯体予定領域の断面積を、一方端部から他方端部に向けて小さくし、全ての全長シールドトンネルの延伸が終了すると、全ての短尺シールドトンネルの延伸が終了する前に、他方端部側から一方端部側に向けて、外郭躯体の構築及び当該外郭躯体の内周側領域の掘削を開始する。
【０００７】
この地下構造物の施工方法では、全長シールドトンネルを他方端部まで延伸するが、短尺シールドトンネルを他方端部まで延伸せずに、外郭躯体予定領域の断面積を一方端部から他方端部に向けて小さくする。これにより、他方端部では、短尺シールドトンネルが外郭躯体予定領域に構築されないため、短尺シールドトンネルの延伸状況に拘らず、外郭躯体を構築して当該外郭躯体の内周側領域を掘削することができる。そこで、全ての全長シールドトンネルの延伸が終了すると、他方端部側から一方端部側に向けて、外郭躯体の構築及び外郭躯体の内周側領域の掘削を開始することで、短尺シールドトンネルの延伸と、外郭躯体の構築及び外郭躯体の内周側領域の掘削とを、同じ時期に行うことができる。これにより、工期の短縮を図ることができる。
【０００８】
上記の地下構造物の施工方法において、シールドトンネル構築工程では、全長シールドトンネルを、外郭躯体予定領域において一方端部から他方端部まで延伸し、短尺シールドトンネル、外郭躯体予定領域において一方端部から他方端部に向けて延伸してもよい。上記の地下構造物の施工方法では、全長シールドトンネルを、外郭躯体予定領域において一方端部から他方端部まで延伸し、短尺シールドトンネルを、外郭躯体予定領域において一方端部から他方端部に向けて延伸する。これにより、容易に、外郭躯体予定領域の断面積を、一方端部から他方端部に向けて小さくすることができる。
【０００９】
上記の地下構造物の施工方法において、シールドトンネル構築工程では、全長シールドトンネルを延伸した後、短尺シールドトンネルを延伸してもよい。この地下構造物の施工方法では、全長シールドトンネルを延伸した後に短尺シールドトンネルを延伸するため、外郭躯体の構築及び外郭躯体の内周側領域の掘削を、より早いタイミングで開始することができる。
【００１０】
上記の地下構造物の施工方法において、シールドトンネル構築工程では、複数の短尺シールドトンネルを構築し、複数の短尺シールドトンネルのうちの一部のシールドトンネルである内周側短尺シールドトンネルの先端部を、外郭躯体予定領域の内周側に延伸し、掘削工程では、掘削した土砂の少なくとも一部を内周側短尺シールドトンネルから排出してもよい。この地下構造物の施工方法では、内周側短尺シールドトンネルの先端部を外郭躯体予定領域の内周側に延伸し、掘削した土砂の少なくとも一部を内周側短尺シールドトンネルから排出する。これにより、掘削工程において、外郭躯体の内周側に土砂を排出するルートを確保しにくい場合にも、容易に土砂を排出することができる。
【００１１】
本発明に係る地下構造物は、内部に地下空洞を形成する地下構造物であって、地下構造物の一方端部と他方端部との間において、軸方向に延伸されるとともに周方向に配置された複数のシールドトンネルと、複数のシールドトンネルを連結してなる外郭躯体と、を備え、地下空洞は、外郭躯体の内周側領域に形成されており、複数のシールドトンネルのうちの一部のシールドトンネルである全長シールドトンネルは、他方端部まで延伸されており、複数のシールドトンネルのうちの残りのシールドトンネルである短尺シールドトンネルは、他方端部まで延伸されておらず、地下空洞の断面積は、一方端部から他方端部に向けて小さくなっている。
【００１２】
この地下構造物では、全長シールドトンネルが、他方端部まで延伸されているが、短尺シールドトンネルが、他方端部まで延伸されておらず、地下空洞の断面積が、一方端部から他方端部に向けて小さくなっている。つまり、他方端部では、短尺シールドトンネルが外郭躯体に延伸されないため、地下構造物の施工時に、短尺シールドトンネルの延伸状況に拘らず、外郭躯体を構築して当該外郭躯体の内周側領域を掘削することができる。このため、地下構造物の施工時に、短尺シールドトンネルの延伸と、外郭躯体の構築及び外郭躯体の内周側領域の掘削とを、同じ時期に行うことができる。これにより、施工時における工期の短縮を図ることができる。
【発明の効果】
【００１３】
本発明によれば、工期の短縮を図ることができる。
【図面の簡単な説明】
【００１４】
【図１】第一実施形態に係る地下構造物の概略構成を示す斜視図である。
【図２】（ａ）は図１に示すＩＩ（ａ）−ＩＩ（ａ）線における断面図であり、（ｂ）は図１に示すＩＩ（ｂ）−ＩＩ（ｂ）線における断面図である。
【図３】（ａ）は図１に示すＩＩＩ（ａ）−ＩＩＩ（ａ）線における断面図であり、（ｂ）は図１に示すＩＩＩ（ｂ）−ＩＩＩ（ｂ）線における断面図である。
【図４】図１に示す地下構造物の横断面図である。
【図５】発進基地構築工程を説明するための模式図である。
【図６】図５に示すＶＩ−ＶＩ線における断面図である。
【図７】シールドトンネル構築工程における全長シールドトンネルの構築を説明するための模式図である。
【図８】（ａ）は図７に示すＶＩＩＩ（ａ）−ＶＩＩＩ（ａ）線における断面図であり、（ｂ）は図７に示すＶＩＩＩ（ｂ）−ＶＩＩＩ（ｂ）線における断面図である。
【図９】（ａ）は図７に示すＩＸ（ａ）−ＩＸ（ａ）線における断面図であり、（ｂ）は図７に示すＩＸ（ｂ）−ＩＸ（ｂ）線における断面図である。
【図１０】シールドトンネル構築工程における短尺シールドトンネルの構築を説明するための模式図である。
【図１１】（ａ）は図１０に示すＸＩ（ａ）−ＸＩ（ａ）線における断面図であり、（ｂ）は図１０に示すＸＩ（ｂ）−ＸＩ（ｂ）線における断面図である。
【図１２】（ａ）は図１０に示すＸＩＩ（ａ）−ＸＩＩ（ａ）線における断面図であり、（ｂ）は図１０に示すＸＩＩ（ｂ）−ＸＩＩ（ｂ）線における断面図である。
【図１３】外郭躯体構築工程を説明するための模式図である。
【図１４】外郭躯体構築工程を説明するための一部拡大模式図である。
【図１５】外郭躯体構築工程を説明するための一部拡大模式図である。
【図１６】外郭躯体構築工程を説明するための一部拡大模式図である。
【図１７】外郭躯体構築工程を説明するための一部拡大模式図である。
【図１８】褄壁構築工程を説明するための模式図である。
【図１９】第二実施形態に係る地下構造物の概略構成を示す斜視図である。
【図２０】（ａ）は図１９に示すＸＸ（ａ）−ＸＸ（ａ）線における断面図であり、（ｂ）は図１９に示すＸＸ（ｂ）−ＸＸ（ｂ）線における断面図である。
【図２１】（ａ）は図１９に示すＸＸＩ（ａ）−ＸＸＩ（ａ）線における断面図であり、（ｂ）は図１９に示すＸＸＩ（ｂ）−ＸＸＩ（ｂ）線における断面図である。
【発明を実施するための形態】
【００１５】
以下、図面を参照して、本発明に係る地下構造物の施工方法及び地下構造物の好適な実施形態について詳細に説明する。本実施形態に係る地下構造物の施工方法は、既設の本線シールドトンネルに新設の支線シールドトンネルを合流させるために、本線シールドトンネルと支線シールドトンネルとの合流領域に本線シールドトンネル及び支線シールドトンネルの双方を囲む大断面トンネルを施工する方法である。また、本実施形態に係る地下構造物は、このような方法により施工される大断面トンネルである。但し、本発明の地下構造物の施工方法及び地下構造物は、このような大断面トンネルの施工方法及び大断面トンネルに限定されるものではない。全図中、同一又は相当部分には同一符号を付すこととする。
【００１６】
（第一実施形態）
まず、地下構造物について説明する。図１〜図３に示すように、本実施形態に係る地下構造物１は、本線シールドトンネル２と支線シールドトンネル３との合流領域に施工された、本線シールドトンネル２及び支線シールドトンネル３の双方を囲む大断面トンネルである。地下構造物１の内部には、地下構造物１の軸線方向に延びる地下空洞４が形成されており、地下構造物１は、複数のシールドトンネル１１を連結してなる地下空洞４の外郭躯体１２を備えている。
【００１７】
シールドトンネル１１は、公知のシールド掘進工法又はシールド推進工法により施工されたトンネルである。すなわち、シールドトンネル１１は、シールド掘進機で地中を掘進しながら、シールド掘進機の後方でトンネルの壁面となるセグメントを組み立てていくことや、シールド掘進機を推進管により推力を得て掘進して、推進管を組み立てていくことにより構築されるトンネルである。つまり、シールドトンネル１１は、シールド掘進機を掘進して組み立てられたセグメントや掘進に伴い組み立てられた推進管によりトンネル覆工体を構築することで延伸される。そして、地下構造物１では、複数のシールドトンネル１１が、地下構造物１の一方端部１ａ（図１における右上側の端部）と他方端部１ｂ（図１における左下側の端部）との間において、本線シールドトンネル２及び支線シールドトンネル３の双方を囲むように、軸方向に延伸されるとともに周方向に配置されている。
【００１８】
外郭躯体１２は、地下空洞４の外郭を構成する略円筒状の躯体である。外郭躯体１２は、隣り合うシールドトンネル１１が連結されることにより構築されている。具体的に説明すると、外郭躯体１２では、隣り合うシールドトンネル１１間には、両シールドトンネル１１を連結する連結路１７が構築されており、全てのシールドトンネル１１及び連結路１７に鉄筋コンクリート１９が打設されている。なお、連結路１７は、鉄筋コンクリート１９に代えて、簡易な嵌合継手又は突合せ継手であってもよい。また、連結路を設けないで隣り合うシールドトンネル１１を相互に隣接させて連結してもよい。更に、隣り合うシールドトンネル１１について、後から延伸するシールドトンネル１１（後行シールドトンネル）を掘進又は推進する際に、後から延伸するシールドトンネルよりも先に延伸したシールドトンネル１１（先行シールドトンネル）のトンネル覆工体の一部を切削しながら相互に連結してもよい。
【００１９】
地下構造物１の一方端部１ａには、外郭躯体１２の一方側面を封止（止水）する一方側褄壁１５が構築されており、地下構造物１の他方端部１ｂには、外郭躯体１２の他方側面を封止（止水）する他方側褄壁１６が構築されている。
【００２０】
そして、一方側褄壁１５及び他方側褄壁１６に挟まれた外郭躯体１２の内周側領域の一部又は全部の土砂が掘削除去されることで、地下構造物１の内部に地下空洞４が形成されている。
【００２１】
次に、上述した複数のシールドトンネル１１についてさらに詳しく説明する。複数のシールドトンネル１１は、複数のシールドトンネル１１のうちの一部のシールドトンネル１１である全長シールドトンネル１３と、複数のシールドトンネル１１のうちの残りのシールドトンネル１１である短尺シールドトンネル１４と、により構成される。
【００２２】
全長シールドトンネル１３は、他方端部１ｂまで延伸されている。つまり、全長シールドトンネル１３は、外郭躯体１２において一方端部１ａから他方端部１ｂに至っている。一方、短尺シールドトンネル１４は、他方端部１ｂまで延伸されていない。つまり、短尺シールドトンネル１４は、外郭躯体１２において一方端部１ａから他方端部１ｂに向けて延伸されて（延びて）いる。また、短尺シールドトンネル１４は、他方端部１ｂに至っていない。つまり、短尺シールドトンネル１４は、全長シールドトンネル１３よりも短く、短尺シールドトンネル１４の先端は、他方端部１ｂよりも一方端部１ａ側の一方端部１ａから他方端部１ｂに至る途中の位置に位置している。このため、他方端部１ｂには、短尺シールドトンネル１４が延伸されていない。そして、地下空洞４が本線シールドトンネル２及び支線シールドトンネル３の外形に沿うように、地下空洞４の断面積は、一方端部１ａから他方端部１ｂに向けて小さくなっている。一般的に、外郭躯体１２は、所定の土圧に耐えられる構造である。このため、地下空洞４の断面積が一方端部１ａから他方端部１ｂに向けて小さくなるのに伴い、外郭躯体１２の断面積も小さくなる。
【００２３】
具体的に説明すると、短尺シールドトンネル１４の先端部１４Ａ（図２における左下の部分）は、外郭躯体１２から外れている。つまり、短尺シールドトンネル１４は、外郭躯体１２において一方端部１ａから他方端部１ｂに向けて延伸されているが、その先端部１４Ａにおいて、外郭躯体１２から外れている。なお、短尺シールドトンネル１４は、一方端部１ａから他方端部１ｂに向けて延伸されているため、短尺シールドトンネル１４の先端部１４Ａは、短尺シールドトンネル１４の他方端部１ｂ側の先端部分となる。
【００２４】
ここで、短尺シールドトンネル１４の先端部１４Ａが外郭躯体予定領域１２Ａから外れるとは、外郭躯体予定領域１２Ａから完全に外れている場合と、外郭躯体予定領域１２Ａから一部のみが外れている場合と、の双方を意味する。外郭躯体予定領域１２Ａから完全に外れている場合とは、短尺シールドトンネル１４の軸線方向に直交する断面において、先端部１４Ａの全ての部分が外郭躯体予定領域１２Ａにない場合をいう。外郭躯体予定領域１２Ａから一部のみが外れている場合とは、短尺シールドトンネル１４の軸線方向に直交する断面において、先端部１４Ａの一部が外郭躯体予定領域１２Ａにあるが、先端部１４Ａの残りの部分が外郭躯体予定領域１２Ａにない場合をいう。
【００２５】
更に、短尺シールドトンネル１４の先端部１４Ａは、外郭躯体１２の外周側又は内周側に曲げられてその一部又は全部が外郭躯体１２の構成要素ではなくなることで、外郭躯体１２から外れている。外郭躯体１２の外周側又は内周側とは、略円筒状に形成される外郭躯体１２の半径方向における外周側又は内周側をいう。本実施形態では、全ての短尺シールドトンネル１４は、その先端部１４Ａが外郭躯体１２の外周側に外れている。
【００２６】
また、地下構造物１は、地下構造物１の一方端部１ａから他方端部１ｂに向けて軸線方向に複数の領域に分けられており、各領域において、１又は複数の短尺シールドトンネル１４の先端部１４Ａが外郭躯体１２から外れている。
【００２７】
具体的に説明すると、シールドトンネル１１は、１２本の全長シールドトンネル１３（１３ａ〜１３ｌ）と、６本の短尺シールドトンネル１４（１４ａ〜１４ｆ）と、の合計１８本により構成される。地下構造物１は、地下構造物１の一方端部１ａから他方端部１ｂに向けて第一領域Ａ１、第二領域Ａ２、第三領域Ａ３の３領域に分けられている。短尺シールドトンネル１４は、その先端部１４Ａが第一領域Ａ１において外郭躯体１２から外れる２本の第一短尺シールドトンネル１４ａ，１４ｄと、その先端部１４Ａが第二領域Ａ２において外郭躯体１２から外れる２本の第二短尺シールドトンネル１４ｂ，１４ｅと、その先端部１４Ａが第三領域Ａ３において外郭躯体１２から外れる２本の第三短尺シールドトンネル１４ｃ，１４ｆと、で構成される。
【００２８】
第一短尺シールドトンネル１４ａ，１４ｄは、第一領域Ａ１において、一方端部１ａから他方端部１ｂに向けて徐々に外郭躯体１２から外れていき、その先端において外郭躯体１２から完全に外れている。第二短尺シールドトンネル１４ｂ，１４ｅは、第二領域Ａ２において、一方端部１ａから他方端部１ｂに向けて徐々に外郭躯体１２から外れていき、その先端において外郭躯体１２から完全に外れている。第三短尺シールドトンネル１４ｃ，１４ｆは、第三領域Ａ３において、一方端部１ａから他方端部１ｂに向けて徐々に外郭躯体１２から外れていき、その先端において外郭躯体１２から完全に外れている。
【００２９】
一方端部１ａにおいて、各シールドトンネル１１は、以下のように配置されている。全長シールドトンネル１３ａ〜１３ｇは、この順で互いに隣り合っている。全長シールドトンネル１３ｈ〜１３ｌは、この順で互いに隣り合っている。第一短尺シールドトンネル１４ａ、第二短尺シールドトンネル１４ｂ及び第三短尺シールドトンネル１４ｃは、この順で互いに隣り合うとともに、全長シールドトンネル１３ｇと全長シールドトンネル１３ｈとの間に配置されている。第一短尺シールドトンネル１４ｄ、第二短尺シールドトンネル１４ｅ及び第三短尺シールドトンネル１４ｆは、互いに隣り合うとともに、全長シールドトンネル１３ｌと全長シールドトンネル１３ａとの間に配置されている。そして、全長シールドトンネル１３ａ〜１３ｇ及び全長シールドトンネル１３ｈ〜１３ｌ、それぞれ、地下構造物１の一方端部１ａから他方端部１ｂに亘って、互いの間隔が略同じとなっている。なお、全長シールドトンネル１３（１３ａ〜１３ｌ）及び短尺シールドトンネル１４（１４ａ〜１４ｆ）は、互いに隣り合っていればよく、必ずしも上述した順に配列されていなくてもよい。
【００３０】
次に、上述した地下構造物１の施工方法について説明する。本実施形態に係る地下構造物の施工方法は、発進基地構築工程と、シールドトンネル構築工程と、外郭躯体構築工程と、褄壁構築工程と、掘削工程と、を備える。
【００３１】
発進基地構築工程では、図５及び図６に示すように、シールドトンネル１１を延伸させるための発進基地２１を構築する。発進基地２１は、支線シールドトンネル３から支線シールドトンネル３の半径方向外周側に延びる発進坑口２２と、本線シールドトンネル２及び支線シールドトンネル３の双方を囲むように発進坑口２２から円周状に延びる円周シールド２３と、を備える。発進坑口２２は、周知のシールド掘進機により施工することができ、円周シールド２３は、周知の円周シールド掘進機により施工することができる。
【００３２】
シールドトンネル構築工程では、図７〜図１２に示すように、地下構造物１の施工予定領域である地下構造物予定領域（不図示）の一方端部１ａと他方端部１ｂとの間において、軸方向に延伸する複数のシールドトンネル１１を周方向に構築する。なお、地下構造物予定領域の一方端部１ａ及び他方端部１ｂは、地下構造物１の一方端部１ａ及び他方端部１ｂと同じである。
【００３３】
具体的に説明すると、まず、図７〜図９に示すように、１２本の全長シールドトンネル１３（１３ａ〜１３ｌ）を、外郭躯体１２の施工予定領域である外郭躯体予定領域１２Ａにおいて一方端部１ａに施工された発進基地２１から他方端部１ｂまで延伸する。このとき、全長シールドトンネル１３を、一方端部１ａに施工された発進基地２１から他方端部１ｂに向けて延伸する。また、隣り合う全長シールドトンネル１３を同時に延伸せずに、隣り合う全長シールドトンネル１３のうち、一方の全長シールドトンネル１３を先行して延伸した後に、他方の全長シールドトンネル１３を後行して延伸する。このとき、例えば、全長シールドトンネル１３の掘進には、２機以上のシールド掘進機を使用することが好ましい。２機以上のシールド掘進機を使用することで、複数の全長シールドトンネル１３を並行して延伸できる。
【００３４】
全ての全長シールドトンネル１３の延伸が終了すると、次に、図１０〜図１２に示すように、６本の短尺シールドトンネル１４（１４ａ〜１４ｆ）を、外郭躯体予定領域１２Ａにおいて一方端部１ａに施工された発進基地２１から他方端部１ｂに向けて延伸するとともに、他方端部１ｂまでは延伸しない。このとき、隣り合う短尺シールドトンネル１４を同時に延伸せずに、隣り合う短尺シールドトンネル１４のうち、一方の短尺シールドトンネル１４を先行して延伸した後に、他方の短尺シールドトンネル１４を後行して延伸する。そして、短尺シールドトンネル１４の先端部１４Ａを、外郭躯体予定領域１２Ａから外す。このとき、例えば、全長シールドトンネル１３の延伸と同様に、短尺シールドトンネル１４の掘進には、２機以上のシールド掘進機を使用することが好ましい。２機以上のシールド掘進機を使用することで、複数の短尺シールドトンネル１４を並行して延伸できる。
【００３５】
具体的には、第一領域Ａ１において、第一短尺シールドトンネル１４ａ，１４ｄを、一方端部１ａから他方端部１ｂに向けて徐々に外郭躯体予定領域１２Ａから外していき、その先端において外郭躯体予定領域１２Ａから完全に外す。そして、第一領域Ａ１の他方端部１ｂ側の端部において、第一短尺シールドトンネル１４ａ，１４ｄの延伸を終了する。このため、第二領域Ａ２及び第三領域Ａ３には、第一短尺シールドトンネル１４ａ，１４ｄが延伸されない。
【００３６】
また、第二領域Ａ２において、第二短尺シールドトンネル１４ｂ，１４ｅを、一方端部１ａから他方端部１ｂに向けて徐々に外郭躯体予定領域１２Ａから外していき、その先端において外郭躯体予定領域１２Ａから完全に外す。そして、第二領域Ａ２の他方端部１ｂ側の端部において、第二短尺シールドトンネル１４ｂ，１４ｅの延伸を終了する。このため、第三領域Ａ３には、第二短尺シールドトンネル１４ｂ，１４ｅが延伸されない。
【００３７】
また、第三領域Ａ３において、第三短尺シールドトンネル１４ｃ，１４ｆを、一方端部１ａから他方端部１ｂに向けて徐々に外郭躯体予定領域１２Ａから外していき、その先端において外郭躯体予定領域１２Ａから完全に外す。そして、第三領域Ａ３の他方端部１ｂ側の端部が近づくと、第三短尺シールドトンネル１４ｃ，１４ｆが他方端部１ｂまで延伸されないように、第三領域Ａ３の他方端部１ｂから所定距離だけ手前の位置において、第三短尺シールドトンネル１４ｃ，１４ｆの延伸を終了する。このため、他方端部１ｂには、第三短尺シールドトンネル１４ｃ，１４ｆが延伸されない。
【００３８】
外郭躯体構築工程では、図１３に示すように、複数のシールドトンネル１１を連結してなる地下構造物１の外郭躯体１２を構築する。外郭躯体１２の構築は、例えば、次のように行うことができる。まず、凍結工法等によりシールドトンネル１１の周囲に凍土１８を造成し、シールドトンネル１１の周囲を凍結止水する。次に、シールドトンネル１１の壁面を構成するセグメント又は推進管を取り外した後、隣り合うシールドトンネル１１間を掘削して、隣り合うシールドトンネル１１を連結する連結路１７を構築する。そして、図１４に示すように、全てのシールドトンネル１１及び連結路１７に鉄筋コンクリート１９を打設する。これにより、シールドトンネル１１、連結路１７及びシールドトンネル１１、連結路１７に打設された鉄筋コンクリート１９を備える外郭躯体１２が構築される。なお、連結路１７は、鉄筋コンクリート１９に代えて、簡易な嵌合継手又は突合せ継手であってもよい。シールドトンネル１１の壁面を構成するセグメント又は推進管を取り外すのは、シールドトンネル１１の軸線方向に所定の間隔をあけて取り外せばよい。シールドトンネル１１を互いに隣接させて延伸した場合や、後行シールドトンネルを先行シールドトンネルのトンネル覆工体の一部を切削しながら相互に連結する場合は、連結路を構築して隣り合うシールドトンネル１１を連結する必要はない。
【００３９】
そして、短尺シールドトンネル１４と全長シールドトンネル１３とが隣り合う部分では、図１４に示すように、短尺シールドトンネル１４（１４ｆ）が外郭躯体予定領域１２Ａにある箇所では、短尺シールドトンネル１４（１４ｆ）と、この短尺シールドトンネル１４（１４ｆ）と隣り合う全長シールドトンネル１３（１３ａ，１３ｌ）とを、連結路１７により連結する。図１５及び図１６に示すように、短尺シールドトンネル１４（１４ｆ）の一部のみが外郭躯体予定領域１２Ａから外れている箇所では、短尺シールドトンネル１４（１４ｆ）と、この短尺シールドトンネル１４（１４ｆ）と隣り合う全長シールドトンネル１３（１３ａ，１３ｌ）とを、連結路１７により連結し、その後、この短尺シールドトンネル１４（１４ｆ）と隣り合う全長シールドトンネル１３（１３ａ，１３ｌ）同士を、補強部２０により連結する。
【００４０】
この際、隣り合う全長シールドトンネル１３の間隔、隣り合う短尺シールドトンネル１４の間隔、隣り合う全長シールドトンネル１３と短尺シールドトンネル１４との間隔を、それぞれ一定距離Ｌを保つことが好ましい。そして、短尺シールドトンネル１４が外郭躯体予定領域１２Ａから外れて行くに従い、この短尺シールドトンネル１４と隣り合う全長シールドトンネル１３の間隔を狭めていく。つまり、図１４〜図１６においては、全長シールドトンネル１３ａと全長シールドトンネル１３ｂとの間隔、全長シールドトンネル１３ｋと全長シールドトンネル１３ｌとの間隔、全長シールドトンネル１３ｌと第三短尺シールドトンネル１４ｆとの間隔、第三短尺シールドトンネル１４ｆと全長シールドトンネル１３ａとの間隔を、それぞれ一定距離Ｌに保つ。そして、第三短尺シールドトンネル１４ｆが外郭躯体予定領域１２Ａから外れて行くに従い、全長シールドトンネル１３ａと全長シールドトンネル１３ｌとの間隔を狭めていく。
【００４１】
一方、図１７に示すように、短尺シールドトンネル１４の全体又は略全体が外郭躯体予定領域１２Ａから外れている箇所では、短尺シールドトンネル１４（１４ｆ）を全長シールドトンネル１３（１３ａ，１３ｌ）に連結せずに、短尺シールドトンネル１４（１４ｆ）を挟んでいた全長シールドトンネル１３（１３ａ，１３ｌ）同士を連結する。
【００４２】
この際、外郭躯体予定領域１２Ａから外れた短尺シールドトンネル１４を除いて、隣り合う全長シールドトンネル１３の間隔、隣り合う短尺シールドトンネル１４の間隔、隣り合う全長シールドトンネル１３と短尺シールドトンネル１４との間隔を、それぞれ一定距離Ｌを保つことが好ましい。つまり、図１７においては、全長シールドトンネル１３ａと全長シールドトンネル１３ｂとの間隔、全長シールドトンネル１３ｋと全長シールドトンネル１３ｌとの間隔、全長シールドトンネル１３ｌと全長シールドトンネル１３ａとの間隔を、それぞれ一定距離Ｌに保つ。
【００４３】
ところで、上述したように、シールドトンネル構築工程において、他方端部１ｂまで延伸されるシールドトンネル１１は全長シールドトンネル１３のみである。また、短尺シールドトンネル１４は、全ての全長シールドトンネル１３の延伸が終了した後に延伸される。このため、全ての全長シールドトンネル１３の延伸が終了すれば、全ての短尺シールドトンネル１４の延伸が終了するのを待たなくても、他方端部１ｂから一方端部１ａに向けて、外郭躯体１２の構築を開始することができる。
【００４４】
なお、本実施形態では、他方端部１ｂに、一方端部１ａの発進基地２１に対応する到達基地（内部空洞）が構築されていないが、他方端部１ｂにも、一方端部１ａの発進基地２１に対応する到達基地が構築されている場合には、他方端部１ｂに到達したシールド掘進機を、他方端部１ｂから一方端部１ａに向けて掘進してもよい。この場合、シールド掘進機を他方端部１ｂから一方端部１ａに移動する必要がなくなる。
【００４５】
そこで、外郭躯体構築工程では、全ての全長シールドトンネル１３の延伸が終了すると、全ての短尺シールドトンネル１４の延伸が終了する前に、他方端部１ｂから一方端部１ａに向けて、外郭躯体１２の構築を開始する。なお、短尺シールドトンネル１４が延伸される位置では、短尺シールドトンネル１４の延伸が終了した後に、外郭躯体１２の構築を開始する。これにより、シールドトンネル構築工程と外郭躯体構築工程とを並行して行うことができる。
【００４６】
具体的には、全ての全長シールドトンネル１３の延伸及び第三短尺シールドトンネル１４ｃ、１４ｆの延伸が終了すると、第二短尺シールドトンネル１４ｂ，１４ｅ及び第一短尺シールドトンネル１４ａ，１４ｄの延伸が終了するのを待たずに、第三領域Ａ３における外郭躯体１２の構築を開始する。その後、第二短尺シールドトンネル１４ｂ，１４ｅの延伸が終了すると、第一短尺シールドトンネル１４ａ，１４ｄの延伸が終了するのを待たずに、第二領域Ａ２における外郭躯体１２の構築を開始する。その後、第一短尺シールドトンネル１４ａ，１４ｄの延伸が終了すると、第一領域Ａ１における外郭躯体１２の構築を開始する。
【００４７】
褄壁構築工程では、図１８に示すように、地下構造物１の一方端部１ａに、外郭躯体１２の一方側面を封止（止水）する一方側褄壁１５を構築し、地下構造物１の他方端部１ｂに、外郭躯体１２の他方側面を封止（止水）する他方側褄壁１６を構築する。一方側褄壁１５及び他方側褄壁１６の構築は、例えば、地下構造物１の一方端部１ａ及び他方端部１ｂを凍結止水し、一方側褄壁１５及び他方側褄壁１６を構築する領域を掘削して鉄筋コンクリート１９を打設する。これにより、一方側褄壁１５及び他方側褄壁１６を構築することができる。
【００４８】
上述したように、全ての全長シールドトンネル１３の延伸が終了すれば、全ての短尺シールドトンネル１４の延伸が終了するのを待たなくても、他方端部１ｂから一方端部１ａに向けて、外郭躯体１２の構築を開始することができる。このため、外郭躯体構築工程においても、全ての全長シールドトンネル１３の延伸が終了し、他方端部１ｂにおける外郭躯体１２の構築が終了すれば、全ての短尺シールドトンネル１４の延伸が終了するのを待たなくても、他方側褄壁１６の構築を開始することができる。
【００４９】
そこで、褄壁構築工程では、全ての全長シールドトンネル１３の延伸が終了し、他方端部１ｂにおける外郭躯体１２の構築が終了すると、全ての短尺シールドトンネル１４の延伸が終了するのを待たずに、他方側褄壁１６の構築を開始する。これにより、シールドトンネル構築工程と褄壁構築工程とを並行して行うことができる。
【００５０】
また、シールドトンネル構築工程では、短尺シールドトンネル１４は、一方端部１ａから他方端部１ｂに向けて延伸される。このため、全ての短尺シールドトンネル１４の延伸が開始されれば、全ての短尺シールドトンネル１４の延伸の終了を待たなくても、一方側褄壁１５の構築を開始することができる。
【００５１】
そこで、褄壁構築工程では、全ての短尺シールドトンネル１４の延伸が開始されると、全ての短尺シールドトンネル１４の延伸の終了を待たずに、一方側褄壁１５の構築を開始する。これにより、シールドトンネル構築工程と褄壁構築工程とを並行して行うことができる。
【００５２】
掘削工程では、図１〜図４に示すように、一方側褄壁１５及び他方側褄壁１６に挟まれた外郭躯体１２の内周側領域の一部又は全部を掘削して地下空洞４を形成する。つまり、一方側褄壁１５及び他方側褄壁１６に挟まれた外郭躯体１２の内周側領域の一部又は全部を掘削し、掘削した土砂を排出することで、外郭躯体１２の内周側に地下空洞４を形成する。そして、掘削した土砂を、本線シールドトンネル２から排出する。なお、地下空洞４に露出した本線シールドトンネル２及び支線シールドトンネル３のトンネル覆工部分は、最終的には取り壊して掘削した土砂とともに排出する。
【００５３】
上述したように、全ての全長シールドトンネル１３の延伸が終了すれば、全ての短尺シールドトンネル１４の延伸が終了するのを待たなくても、他方端部１ｂから一方端部１ａに向けて外郭躯体１２の構築を開始することができるとともに、他方側褄壁１６の構築を開始することができる。このため、掘削工程においても、全ての全長シールドトンネル１３の延伸が終了し、他方端部１ｂにおける外郭躯体１２の構築が終了し、他方側褄壁１６の構築が終了すると、全ての短尺シールドトンネル１４の延伸が終了するのを待たなくても、他方端部１ｂから一方端部１ａに向けて、外郭躯体１２の内周側領域の掘削を開始することができる。
【００５４】
そこで、掘削工程では、全ての全長シールドトンネル１３の延伸が終了し、他方端部１ｂにおける外郭躯体１２の構築が終了し、他方側褄壁１６の構築が終了すると、全ての短尺シールドトンネル１４の延伸が終了するのを待たずに、他方端部１ｂから一方端部１ａに向けて、外郭躯体１２の内周側領域の掘削を開始する。これにより、シールドトンネル構築工程と掘削工程とを並行して行うことができる。なお、掘削に伴い外郭躯体１２の内周側領域への止水が問題になる場合は、一方側褄壁１５の構築が終了した後に、外郭躯体１２の内周側領域の掘削を開始する。
【００５５】
具体的には、全ての全長シールドトンネル１３の延伸、第三短尺シールドトンネル１４ｃ、１４ｆの延伸、他方端部における外郭躯体１２の構築、他方側褄壁１６及び一方側褄壁１５の構築が終了すると、第二短尺シールドトンネル１４ｂ，１４ｅ及び第一短尺シールドトンネル１４ａ，１４ｄの延伸が終了するのを待たずに、第三領域Ａ３における外郭躯体１２の内周側領域の掘削を開始する。なお、掘削に伴い外郭躯体１２の内周側領域への止水が問題になる場合は、一方側褄壁１５の構築が終了した後に、第三領域Ａ３における外郭躯体１２の内周側領域の掘削を開始する。
【００５６】
その後、第二短尺シールドトンネル１４ｂ，１４ｅの延伸が終了すると、第一短尺シールドトンネル１４ａ，１４ｄの延伸が終了するのを待たずに、第二領域Ａ２における外郭躯体１２の内周側領域の掘削を開始する。なお、上記同様、掘削に伴い外郭躯体１２の内周側領域への止水が問題になる場合は、一方側褄壁１５の構築が終了した後に、第二領域Ａ２における外郭躯体１２の内周側領域の掘削を開始する。
【００５７】
その後、第一短尺シールドトンネル１４ａ，１４ｄの延伸及び一方側褄壁１５の構築が終了すると、第一領域Ａ１における外郭躯体１２の内周側領域の掘削を開始する。なお、各短尺シールドトンネル１４の延伸順序は、特に限定されるものではなく、適宜変更してもよい。
【００５８】
以上説明したように、本実施形態では、全長シールドトンネル１３を他方端部１ｂまで延伸するが、短尺シールドトンネル１４を他方端部１ｂまで延伸せずに、外郭躯体予定領域１２Ａの断面積を一方端部１ａから他方端部１ｂに向けて小さくする。これにより、他方端部１ｂでは、短尺シールドトンネル１４が外郭躯体予定領域１２Ａに構築されないため、短尺シールドトンネル１４の延伸状況に拘らず、外郭躯体１２を構築して当該外郭躯体１２の内周側領域を掘削することができる。そこで、全ての全長シールドトンネル１３の延伸が終了すると、他方端部１ｂ側から一方端部１ａ側に向けて、外郭躯体１２の構築及び外郭躯体１２の内周側領域の掘削を開始することで、短尺シールドトンネル１４の延伸と、外郭躯体１２の構築及び外郭躯体１２の内周側領域の掘削とを、同じ時期に行うことができる。これにより、工期の短縮を図ることができる。
【００５９】
また、全長シールドトンネル１３を、外郭躯体予定領域１２Ａにおいて一方端部１ａから他方端部１ｂまで延伸し、短尺シールドトンネル１４を、外郭躯体予定領域１２Ａにおいて一方端部１ａから他方端部１ｂに向けて延伸する。これにより、容易に、外郭躯体予定領域１２Ａの断面積を、一方端部１ａから他方端部１ｂに向けて小さくすることができる。
【００６０】
また、全ての全長シールドトンネル１３を延伸した後に短尺シールドトンネル１４を延伸するため、外郭躯体１２の構築及び外郭躯体１２の内周側領域の掘削を、より早いタイミングで開始することができる。
【００６１】
（第二実施形態）
次に、第二実施形態について説明する。第二実施形態は、基本的に第一実施形態と同様であるが、短尺シールドトンネルの一部が、外郭躯体（外郭躯体予定領域）の内周側に外れている点のみ、第一実施形態と相違する。このため、以下では、第一実施形態と相違する事項のみを説明し、第一実施形態と同様の事項の説明を省略する。
【００６２】
まず、地下構造物について説明する。図１９〜図２１に示すように、本実施形態に係る地下構造物３１では、第一実施形態の短尺シールドトンネル１４に対応する短尺シールドトンネル３４が複数構築されている。短尺シールドトンネル３４は、第一実施形態と同様に、外郭躯体１２において一方端部１ａから他方端部１ｂに向けて延伸されているが、他方端部１ｂまで延伸されていない。そして、複数の短尺シールドトンネル３４のうちの一部のシールドトンネルである外周側短尺シールドトンネル３４１は、その先端部３４Ａが、外郭躯体予定領域１２Ａの外周側に外れている。一方、複数の短尺シールドトンネル３４のうちの残りのシールドトンネルである内周側短尺シールドトンネル３４２は、その先端部３４Ａが、外郭躯体予定領域１２Ａの内周側に外れている。
【００６３】
具体的に説明すると、地下構造物３１は、第一実施形態の第一短尺シールドトンネル１４ｄ、第二短尺シールドトンネル１４ｂ、１４ｅ、第三短尺シールドトンネル１４ｃ，１４ｆと同様の、第一外周側短尺シールドトンネル３４１ｄ、第二外周側短尺シールドトンネル３４１ｂ，３４１ｅ、第三外周側短尺シールドトンネル３４１ｃ，３４１ｆを備えている。第一外周側短尺シールドトンネル３４１ｄ、第二外周側短尺シールドトンネル３４１ｂ，３４１ｅ、第三外周側短尺シールドトンネル３４１ｃ，３４１ｆは、その先端部３４Ａが、外郭躯体１２の外周側に外れている。
【００６４】
また、地下構造物３１は、第一実施形態の第一短尺シールドトンネル１４ａの代わりに、第一内周側短尺シールドトンネル３４２ａを備えている。第一内周側短尺シールドトンネル３４２ａは、その先端部３４Ａが、外郭躯体１２の内周側に外れている。具体的には、第一内周側短尺シールドトンネル３４２ａは、第一領域Ａ１において、地下構造物３１の一方端部１ａから他方端部１ｂに向けて徐々に外郭躯体１２の内周側に外れていき、その先端において外郭躯体１２の内周側に完全に外れている。そして、第一内周側短尺シールドトンネル３４２ａは、第一領域Ａ１において外郭躯体１２の内周側に外れたのち、外郭躯体１２の内周側を通って、その先端が第三領域Ａ３（又は、第二領域Ａ２）まで延伸されている。
【００６５】
次に、上述した地下構造物３１の施工方法について説明する。本実施形態に係る地下構造物の施工方法は、第一実施形態における地下構造物の施工方法と基本的に同様である。
【００６６】
シールドトンネル構築工程では、全ての全長シールドトンネル１３の伸長が終了すると、６本の短尺シールドトンネル３４（３４１ａ、３４２ｂ〜３４２ｆ）を、外郭躯体予定領域１２Ａにおいて一方端部１ａに施工された発進基地２１から他方端部１ｂに向けて延伸するとともに、他方端部１ｂまでは延伸しない。そして、短尺シールドトンネル３４の先端部１４Ａを、外郭躯体予定領域１２Ａから外す。
【００６７】
具体的には、第一領域Ａ１において、第一内周側短尺シールドトンネル３４２ａを、一方端部１ａから他方端部１ｂに向けて徐々に外郭躯体予定領域１２Ａの内周側に外していき、その先端において外郭躯体予定領域１２Ａの内周側に完全に外す。そして、第一内周側短尺シールドトンネル３４２ａを、外郭躯体予定領域１２Ａの内周側において第三領域Ａ３（又は、第二領域Ａ２）まで延伸し、第一内周側短尺シールドトンネル３４２ａが他方端部１ｂまで延伸されないように、第三領域Ａ３（又は、第二領域Ａ２）において、第一内周側短尺シールドトンネル３４２ａの延伸を終了する。
【００６８】
また、第一領域Ａ１において、第一外周側短尺シールドトンネル３４１ｄを、一方端部１ａから他方端部１ｂに向けて徐々に外郭躯体予定領域１２Ａの外周側に外していき、その先端において外郭躯体予定領域１２Ａの外周側に完全に外す。そして、第一領域Ａ１の他方端部１ｂ側の端部において、第一外周側短尺シールドトンネル３４１ｄの延伸を終了する。
【００６９】
また、第二領域Ａ２において、第二外周側短尺シールドトンネル３４１ｂ，３４１ｅを、一方端部１ａから他方端部１ｂに向けて徐々に外郭躯体予定領域１２Ａの外周側に外していき、その先端において外郭躯体予定領域１２Ａの外周側に完全に外す。そして、第二領域Ａ２の他方端部１ｂ側の端部において、第二外周側短尺シールドトンネル３４１ｂ，３４１ｅの延伸を終了する。
【００７０】
また、第三領域Ａ３において、第三外周側短尺シールドトンネル３４１ｃ，３４１ｆを、一方端部１ａから他方端部１ｂに向けて徐々に外郭躯体予定領域１２Ａの外周側に外していき、その先端において外郭躯体予定領域１２Ａの外周側に完全に外す。そして、第三領域Ａ３の他方端部１ｂ側の端部に近づくと、第三外周側短尺シールドトンネル３４１ｃ，３４１ｆが他方端部１ｂまで延伸されないように、第三領域Ａ３の他方端部１ｂから所定距離だけ手前の位置において、第三外周側短尺シールドトンネル３４１ｃ，３４１ｆの延伸を終了する。
【００７１】
ここで、第二領域Ａ２及び第三領域Ａ３（又は、第二領域Ａ２）では、第一内周側短尺シールドトンネル３４２ａが、外郭躯体予定領域１２Ａの内周側に配置されている。そこで、掘削工程では、他方端部１ｂから一方端部１ａに向けて外郭躯体１２の内周側領域の掘削を開始するとともに、第三領域Ａ３及び第二領域Ａ２（又は、第二領域Ａ２）において掘削した土砂を、第一内周側短尺シールドトンネル３４２ａから排出する。なお、掘削工程が他方端部１ｂから一方端部１ａに進むに従い、適宜、第一内周側短尺シールドトンネル３４２ａにおける外郭躯体１２の内周側に外れている部分のトンネル覆工体を取り壊していく。
【００７２】
このように、本実施形態では、内周側短尺シールドトンネル３４２の先端部３４Ａを外郭躯体予定領域１２Ａの内周側に延伸し、掘削した土砂の少なくとも一部を内周側短尺シールドトンネル３４２から排出する。これにより、掘削工程において、外郭躯体１２の内周側に土砂を排出するルートを確保しにくい場合にも、容易に土砂を排出することができる。
【００７３】
以上、本発明の好適な実施形態について説明したが、本発明は上記実施形態に限定されるものではない。
【００７４】
例えば、上記実施形態では、シールドトンネル構築工程において、全長シールドトンネルを、一方端部から他方端部に向けて延伸するものとして説明したが、シールドトンネル構築工程では、前述したとおり、他方端部に発進基地を構築する等して、全長シールドトンネルを、外郭躯体予定領域の他方端部から一方端部に向けて延伸するものとしてもよい。この地下構造物の施工方法では、全長シールドトンネルを、短尺シールドトンネルとは反対に、地下構造物予定領域の他方端部から一方端部に向けて延伸するため、全長シールドトンネルの施工と短尺シールドトンネルの施工とを独立して行うことができる。これによりシールドトンネル構築工程の作業効率を向上することができる。
【００７５】
また、上記実施形態では、先に全長シールドトンネルを延伸してから、その後、短尺シールドトンネルを延伸するものとして説明したが、先に短尺シールドトンネルを延伸してから、その後、全長シールドトンネルを延伸するものとしてもよい。
【００７６】
また、上記実施形態では、全ての短尺シールドトンネルの先端部を外郭躯体予定領域（外郭躯体）から外すものとして説明したが、一部又は全部の短尺シールドトンネルの先端部を外郭躯体予定領域から外さないものとしてもよい。この場合、短尺シールドトンネルの先端付近では、短尺シールドトンネルが無くなることによる全長シールドトンネルの間隔調整が必要となるが、このような場合であっても、上記実施形態と同様に、外郭躯体予定領域（外郭躯体）の断面積を一方端部から他方端部に向けて小さくすることができる。
【００７７】
また、上記実施形態では、全ての全長シールドトンネルの延伸が終了した後に、短尺シールドトンネルを延伸するものとして説明したが、一部又は全部の全長シールドトンネルの延伸が終了する前に、短尺シールドトンネルを延伸してもよい。
【００７８】
また、上記実施形態では、シールドトンネルの断面形状、シールドトンネル、全長シールドトンネル及び短尺シールドトンネルの本数、外郭躯体を分ける領域の数等を具体的に特定して説明したが、これらは特に限定されるものではない。
【符号の説明】
【００７９】
１…地下構造物、１ａ…一方端部、１ｂ…他方端部、２…本線シールドトンネル、３…支線シールドトンネル、４…地下空洞、１１…シールドトンネル、１２…外郭躯体、１２Ａ…外郭躯体予定領域、１３（１３ａ〜１３ｌ）…全長シールドトンネル、１４…短尺シールドトンネル、１４Ａ…先端部、１４ａ，１４ｄ…第一短尺シールドトンネル、１４ｂ，１４ｅ…第二短尺シールドトンネル、１４ｃ，１４ｆ…第三短尺シールドトンネル、１５…一方側褄壁、１６…他方側褄壁、１７…連結路、１８…凍土、１９…鉄筋コンクリート、２０…補強部、２１…発進基地、２２…発進坑口、２３…円周シールド、３１…地下構造物、３４…短尺シールドトンネル、３４Ａ…先端部、３４１…外周側短尺シールドトンネル、３４１ｂ，３４１ｅ…第二外周側短尺シールドトンネル、３４１ｃ，３４１ｆ…第三外周側短尺シールドトンネル、３４１ｄ…第一外周側短尺シールドトンネル、３４２…内周側短尺シールドトンネル、３４２ａ…第一内周側短尺シールドトンネル、Ａ１…第一領域、Ａ２…第二領域、Ａ３…第三領域。
【図１】
2018003398.tif 000003
【図２】
2018003398.tif 000004
【図３】
2018003398.tif 000005
【図４】
2018003398.tif 000006
【図５】
2018003398.tif 000007
【図６】
2018003398.tif 000008
【図７】
2018003398.tif 000009
【図８】
2018003398.tif 000010
【図９】
2018003398.tif 000011
【図１０】
2018003398.tif 000012
【図１１】
2018003398.tif 000013
【図１２】
2018003398.tif 000014
【図１３】
2018003398.tif 000015
【図１４】
2018003398.tif 000016
【図１５】
2018003398.tif 000017
【図１６】
2018003398.tif 000018
【図１７】
2018003398.tif 000019
【図１８】
2018003398.tif 000020
【図１９】
2018003398.tif 000021
【図２０】
2018003398.tif 000022
【図２１】
2018003398.tif 000023